(57)【要約】      （修正有）【課題】  表面材が自然石、人工石、タイルまたはガラスの薄片からなる表面材、ハニカムコア、裏面材（断熱材）および電熱線を一体化した暖房用部材であって、軽量で、熱効率が良く、かつ安価に製作できる暖房用ハニカムコアパネル部材の提供。【解決手段】ハニカム１に溝４を加工し、その溝４に絶縁材で被覆した電熱線５を通して発熱パネルを作成し、その表面に、美麗であり、遠赤外線を発する自然石などの表面材２を貼りつけた暖房用部材であって、従来の暖房用部材に比べ、薄く軽量でかつ熱効率を高めた暖房用床、暖房用壁、暖房用パネルなどの暖房用ハニカムコアパネル部材。【選択図】図１
2006183982.tif 000002
【特許請求の範囲】
【請求項１】
表面材、ハニカムコア、裏面材（断熱材）および電熱線で構成する床暖房、壁暖房および暖房用パネルなどの暖房用部材であって、ハニカムコアのハニカム壁に溝を加工し、その溝に絶縁材で被覆した電熱線を配線する構造とした、薄型で、より速く暖房効果を発揮し、暖房エネルギーを少なく出来る、かつ施工が容易な暖房用ハニカムコアパネル部材。
【請求項２】
前記暖房用部材の表面材として天然石の薄片、人工石薄片、タイルおよびガラスを使用した暖房用ハニカムコアパネル部材。
【請求項３】
前記暖房用ハニカムコアパネル部材を使用した暖房床材、暖房壁材、暖房パーテーション、パネルヒーターおよび園芸用ヒーター。
【発明の詳細な説明】
【技術分野】
【０００１】本発明は、床、壁、パネル等に使用するハニカム構造をもったハニカムコアパネル部材を使用した暖房用部材に改良に関するが、詳しくはハニカムコアパネルの表面材を貼り付けた側の反対側（反表面側）に溝を掘り、溝の中に絶縁材を被覆した電熱線を配線した構造のパネル部材であって、表面材として天然石、人工石、タイルおよびガラスの薄片を貼りつけた、床暖房、暖房壁、パネルヒーターおよび園芸用ヒーターに使用するための、美麗、軽量、薄型で、かつ省エネルギーが達成でき、さらに施工が容易な暖房用ハニカムコア部材に関するものである。
【背景技術】
【０００２】従来からアルミニュウム製ハニカムコアは強度と靭性があるので、床暖房材、暖房用パネル材として使用されているが、現在、最も多く使用されている構造を図８、図９に図示する。また、浴室、台所など水を使用するところでの構造を図１０に示す。【０００３】図８はハニカムコア材１１の裏面すなわち表面材１２の反対側に電熱式暖房シート（電熱面状ヒーター、フイルムヒーター）３１を置いている構造である。【０００４】ハニカムコア材１１は熱伝導性が悪いので、電熱式暖房シート３１と表面材１２までの熱伝導距離が長い、またハニカムコアと発熱材との間に隙間３２がある従来式では、熱効率が悪く、暖まるまでの時間がかかっている。また、電熱発熱線３３は電熱式発熱シートのハニカムコア側に配線しているものであるが絶縁体が熱伝導を阻害しているため、熱効率けが悪く、暖まるまでの時間がかかるなどの欠点がある。また、発熱シートの厚さの分が厚くなる。【０００５】図９はハニカムコア材１１の表面側すなわちハニカムコア材と表面材の間に電熱式暖房シート（電熱面状ヒーター、フイルムヒーター）３１を、接着剤３２を用いて接着している構造である。【０００６】電熱式暖房シートは発熱線をゴム、ビニール等の樹脂でシート状に覆ったもので、柔軟性があり、樹脂シートと同様に自由に変形するので、例えば天然石薄片、タイルガラスなどの脆い表面材を貼りつけると、表面材が割損する恐れがあるため、クロスなど柔軟な表面材しか使えない。暖房の効率を良くする遠赤外線を多く出す天然石、人工石などに使えない。【０００７】図１０は浴室、台所等の水使用の場合であり、暖房パネルの下地はモルタル３３、コンクリート３４であり、通常はモルタル３３の中に電熱線を設置する。【０００８】コンクリートに熱が逃げる、また伝熱距離が長いなどで熱効率が悪く、かつ速熱性がない。多くの場合、連続加熱が必要であるので電気使用量が非常に多い。【０００９】さらに、ハニカムコアを使用した暖房は電熱の他に温水、熱媒体を用いた暖房がある。いずれも液体を循環して暖房するものであるため、温水設備又は熱交換設備、送液設備、配管が必要であり費用がかさむ。さらに、また配管が太いために、ハニカムコアを成型して埋め込むなど施工が困難である。このため、配管部のハニカムコアを切り取り加工する、又は配管部をプレス加工している。この加工部分は強度が低下しハニカムコアを使用する目的が無くなる。【００１０】なお、本願発明に関連する公知技術として次の特許文献を挙げることができる。【００１１】
【特許文献１】特開平０４−２６０７３０号公報
【特許文献２】特開平０７−３２５１８号公報
【特許文献３】特開平０７−３３２６９２号公報
【特許文献４】特開２００３−１７６９２３号公報
【特許文献５】特開平０５−９４６１７号公報
【特許文献６】特開平２００２−２２８１７４号公報
【特許文献７】特開昭６０−１０６０１４号公報
【発明の開示】
【発明が解決しようとする課題】
【００１２】従来技術に係るハニカムコアを用いた暖房のかかる問題を解決しようとする課題を有する、すなわち、本発明は床暖房材、暖房壁材、パーテーション、パネルヒーターおよび園芸用ヒーターに使用する暖房用ハニカムコアパネルにおいて、表面に美麗であるが脆い天然石、人工石、ガラス、タイルの薄片を表面材とした、施工の簡易さ、施工費用の安価、省エネルギー及び迅速な温度上昇を得ようとするところに課題の解決がある。
【課題が解決するための手段】
【００１３】本発明は、上記のごとき問題を解決するために開発したものであって、暖房用の電熱シートを用いることなく、面状のヒーターを得るものである。すなわち、ハニカムコア本体１１にハニカムコアのハニカム壁の表面の反対側に溝４を付け、その溝に絶縁材で被覆した電熱線５（シーズヒーター、コード状ヒーターなど）を埋め込んだ構造とした。
【００１４】ハニカムコア内部に電熱線が配線でき、表面に近い位置で発熱する。このため、表面材の加熱が速く行われる。また、ハニカムコアはアルミニュウムで出来ているため、アース線をハニカムコアに接続することでアースが取れ、感電の恐れはない。
【００１５】溝には補強と熱伝導を良くするためアルミニュウム薄板９を貼り付ける、また、補強と断熱のためヒーターの反表面側を樹脂１０で埋め込むなどをすると強度、および熱伝導の問題はない。
【００１６】さらに反表面側に樹脂製の板１１を張ることで断熱、強度を得ることができる。
【００１７】パネルの表面には美麗な天然石、人工石、ガラス及びまたはタイルの薄片の硬くて脆い表面材を薄く加工し、貼り付けることができる。
【発明の効果】
【００１８】本発明は、ハニカムコアの内部に溝を切り、その溝に電熱線を通すものであるから、従来の発熱シートを使用した構造より軽く、薄くできる。ハニカムコア表面に天然石、人工石、ガラス、タイルの硬くて脆い薄片を直接貼りつけることにより、これら表面材を破損することが無い。また、発熱線が表面材に近い為に、従来の壁暖房より、効率的な暖房を提供することができる。
【００１９】さらに、両面に表面材を貼りつけることができるので、両面使用のパーテーション、パネルヒーターおよび園芸用ヒーターにおいて、軽量で薄型のヒーターが提供できる。
【発明を実施するための最良の形態】
【００２０】以下、本発明の実施の形態を図面に基づき詳細に説明する。【００２１】図２はハニカム構造図であるが、ハニカム１はアルミニュウム板を蜂の巣状に加工したもので、少ない材料で強度のある構造材が製作できる。また、ハニカム構造は中空なので熱伝導は良くない。【００２２】図３はハニカムコア１１の構造図であるが、ハニカム１に自然石、人工石などの表面板２を張り、アルミニュウムまたは樹脂製の反対面板３を取りつけ、横方向の変形を防止する構造となっており、建築材に使用されている。本発明は本ハニカムコアを改良し、熱効率の良い暖房部材としたものである。【００２３】  図４、図５は本発明の実施の形態に係り、図４は本発明の暖房用ハニカムコア部材概要図であり、図５は断面図である。図４，図５に示すように、ハニカム構造１の反表面側の壁面に溝４を加工する。溝は被覆発熱線に合わせて温度分布が均一になるよう加工する。【００２４】  図５に細部の構造を示す。半楕円形に加工した溝４にアルミニュウム薄板９を張り、抵抗線７を絶縁材８で被覆した電熱線５を通す。電熱線５は強度と断熱性を向上させるため樹脂１０で補強する。【００２５】ハニカムコアに溝を付けるとハニカムコアの強度が低下する。しかし、アルミニュウムの薄板と樹脂で補強することにより強度低下の問題ない。【００２６】図４は被覆電熱線をハニカムコアパネルの中に配線した状況を示す、すべての電熱線５をハニカムコア内に配線し、端子６がハニカムコアの外にでている。端子６を制御器２５に接続し、電子式制御機器で入力電力を制御し、暖房温度を制御する。過熱防止のため配線途中にサーモスタット、または温度ヒューズを取りつける。さらに感電防止のためハニカムコアから直接接地するなどの安全対策を取るのは当然である。また、温度制御を入力制御ではなく、温度計検出端をハニカムコア内に設置して行うことも可能である。【００２７】図１は暖房用ハニカムコアパネル部材であり、ハニカムコアの上表面に天然石、人工石、ガラス、タイルの硬質で脆い表面材１２を貼り付けた暖房用パネル部材である。用途に応じた表面材１２を使用することによって、快適な住空間が形成する。【００２８】本発明の暖房用ハニカムコアパネル部材は室内装飾を考慮した床暖房材、暖房壁材、暖房パーテーション、パネルヒーターおよび園芸用ヒーターに使用する。
【実施例】
【００２９】図６は洋室の壁の一部を暖炉風に装飾した、本発明の暖房用ハニカムコアパネル部材を施工した実施例である。表層材に厚さ５ｍｍの大理石天然石薄片を、電熱線を組み込んだハニカムコアに貼り付け施工したものである。暖房用ハニカムコアパネル以外の壁はハニカムコアの表面に壁紙を貼りつけている。【００３０】図７は風呂洗い場床に施工した実施例である。浴室に入った時に足の裏の冷たさを防止すると同時に浴室の乾燥を目的としている。浴槽２６は天然石でできており、洗い場表層材２１は浴槽と同じ天然石を薄く切ったものであり、天然石のため、冷たいので床暖房を施工したもの。天然石の温度すなわちハニカムコアの温度は、電源２４から配線し、電子式制御器２５によって、電力制御することで制御する。湯水を使用する個所なので、配線および器具は全て防水型のものを用いると同時にハニカムコアからアースを取り、人が感電しないようにする。
【図面の簡単な説明】
【図１】  本発明の暖房用ハニカムコアパネル部材概要図
【図２】  ハニカム構造図
【図３】  ハニカムコア構造図
【図４】  本発明のハニカムコア部概要図
【図５】  ハニカムコア断面図
【図６】  本発明による洋室の暖房実施例
【図７】  本発明による浴室床暖房実施例
【図８】  従来のハニカムコアを用いた暖房用パネル材の概要図（例１）
【図９】  従来のハニカムコアを用いた暖房用パネル材の概要図（例２）
【図１０】  従来のハニカムコアを用いた浴室暖房の概要図（例３）
【符号の説明】
１    ハニカム
２    表面材
３    反対面板（裏板）
４    溝
５    絶縁材で被覆した電熱線
６    導線（端子）
７    電気抵抗線（電熱線素線）
８    絶縁材
９    アルミニュウム薄板
１０    接着充填材
１１    樹脂性板（断熱板）
１２    天然石等の美麗であるが脆弱な表面材
２１    本発明のヒーター入りハニカムコア発熱体
２２    大理石薄片
２３    ハニカムコア
２４    表面（壁紙）
２５    断熱材
２６    浴槽
２７    コントローラ
２８    配線
３１    電熱式発熱シート
３２    電熱線
３３    モルタル
３４    コンクリート
【図１】
2006183982.tif 000003
【図２】
2006183982.tif 000004
【図３】
2006183982.tif 000005
【図４】
2006183982.tif 000006
【図５】
2006183982.tif 000007
【図６】
2006183982.tif 000008
【図７】
2006183982.tif 000009
【図８】
2006183982.tif 000010
【図９】
2006183982.tif 000011
【図１０】
2006183982.tif 000012